(57)【要約】【課題】要介護者に装着される看護・介護用品を要介護者自らが着脱できないようにし、要介護者の身体的安全を図る。【解決手段】 開閉部位に、係合突部１２を有する雄ホック１０と係合突部１２を挿脱可能に保持する雌ホック２０とからなる回転式のスナップボタン１を有する看護・介護用品において、雌ホック２０には回転摘まみ２５が設けられ、回転摘まみ２５の回転により、雄ホック１０の係合突部１２とのアンロック状態とロック状態とを切り替えるようにした。【選択図】図１
0003217953.tif 000002
【実用新案登録請求の範囲】
【請求項１】
開閉部位に、係合突部を有する雄ホックと上記係合突部を挿脱可能に保持する雌ホックとからなるスナップボタンが取り付けられている看護・介護用品において、
上記雌ホックは回転摘まみを有し、上記回転摘まみの回転により、上記雄ホックの上記係合突部の離脱を許容するアンロック状態と、上記雄ホックの上記係合突部の離脱を拘束するロック状態とに切り替えられる回転式のスナップボタンが用いられることを特徴とする看護・介護用品。
【請求項２】
看護・介護用手袋の着脱防止手段の留め具として上記回転式のスナップボタンが用いられている請求項１に記載の看護・介護用品。
【請求項３】
看護・介護用おむつカバーの開閉部位の着脱防止手段の留め具として上記回転式のスナップボタンが用いられている請求項１に記載の看護・介護用品。
【請求項４】
看護・介護用パジャマや寝間着の開閉位置の着脱防止手段の留め具として上記回転式のスナップボタンが用いられている請求項１に記載の看護・介護用品。
【請求項５】
要介護者の体幹や四肢等を車椅子やベッド等の被保持体に安定的に保持する看護・介護用安全ベルトの着脱防止手段の留め具として上記回転式のスナップボタンが用いられている請求項１に記載の看護・介護用品。
【考案の詳細な説明】
【技術分野】
【０００１】
本考案は、病気や高齢のために身動きが困難となっている要介護者に装着されるパジャマやおむつカバー等の看護・介護用品に関し、さらに詳しく言えば、パジャマやおむつカバー等の看護・介護用品を、要介護者自らが着脱できないようにするための着脱防止手段としてスナップボタンが用いられている看護・介護用品に関する。
【背景技術】
【０００２】
病気や高齢のために身動きが困難となっている要介護者に装着される看護・介護用品は、要介護者のストレスや不安、恐怖心等から起こされる暴力行為や自傷行為等から要介護者や介護者の身体を守るため、種々の用途のもと、様々な工夫が施されている。
【０００３】
一例として、例えば、パジャマやおむつカバー等、要介護者の身体に装着される看護・介護用品では、要介護者が暴れた際に、装着品が開けて身体が傷付いてしまわないように、パジャマやおむつカバー等の開放部位を確実に固定できる着脱防止手段を設けることが好ましい。
【０００４】
また、例えば、手袋等、要介護者の身体の一部に装着される看護・介護用品では、要介護者が自らの身体を引っ掻いたり、点滴チューブを外したりできないように、要介護者自らが手袋を外すことができないような着脱防止手段を設けることが好ましい。
【０００５】
そして、要介護者がベッドや車椅子等から転落しないように要介護者の体幹や四肢を固定する安全ベルト等の看護・介護用品では、要介護者の身体的負担とならない位置で安全に固定できる着脱防止手段を設けることが好ましい。
【０００６】
そのような看護・介護用品の着脱防止手段の一例としてスナップボタンが挙げられる。一般的なスナップボタンは、雄ホックと雌ホックの一組のボタンからなり、雌雄ボタンを押し合わせて留めるという操作により簡単にロック状態にできるとともに、雄ホックと雌ホックとを引き離すという操作により簡単にアンロック状態にできる。
【０００７】
このように、スナップボタンは、その操作が簡単で使い勝手がよいという利点のほかに、アンロック状態にするにはある程度の力が必要なため、要介護者が勝手に介護用品を着脱できないという利点から、スナップボタンを看護・介護用品の着脱防止手段として用いることが少なくない。
【０００８】
しかしながら、平静時の要介護者は力が弱く、スナップボタンをアンロック状態にすることは困難であるが、要介護者が興奮状態で暴力行為や自傷行為を引き起こすような場面では、平静時では想像できない大きな力を発揮するため、パジャマや手袋等の着脱防止部分を引き離す等、従来の一般的なスナップボタンでは十分な着脱防止機能を発揮できない。
【０００９】
そこで、最近では、介護用品の着脱防止手段として、スナップボタンの雌ホックの頭部を比較的強い力で横圧しなければボタンのロック状態を解除することができないプッシュ式脱着型スナップボタンが用いられている（下記特許文献１参照）。
【００１０】
このプッシュ式脱着型スナップボタンを簡単に説明すると、このスナップボタンは、一般的なスナップボタンと同様に、ピン（雄ホック）２と保持側スナップ（雌ホック）１とを押し合わせて凹凸嵌合させることによりロック状態とすることができるようになっている（下記特許文献１；図４参照）。
【００１１】
また、保持側スナップ（雌ホック）１の表側ほぼ中央部分（図４における押え位置８）を押圧することにより、ピン（雄ホック）２と保持側スナップ（雌ホック）１との凹凸嵌合を解除させてアンロック状態とすることができる（下記特許文献１；図１参照）。
【００１２】
しかしながら、このこのプッシュ式脱着型スナップボタンによっても、例えば、要介護者が興奮状態で暴れる場合では、スナップボタンをその上方から大きな力で叩く等、要介護者の予測できない行為により、不用意にロックが解除されてしまうことがあった。
【００１３】
また、ロック、アンロックの繰り返しによって嵌合部分が早期に壊れてしまう等、耐久性の面での問題があるほか、特にパジャマ、寝間着やおむつカバー等、身体に装着して使用する場合では、スナップボタン全体の高さ（厚さ）の嵩張りが、要介護者に違和感や不快感を与えることがある。
【先行技術文献】
【特許文献】
【００１４】
【特許文献１】特開２０００−６０６０６号公報
【考案の概要】
【考案が解決しようとする課題】
【００１５】
そのため、本考案は、要介護者に装着される看護・介護用品を要介護者自らが着脱することを防ぐとともに、操作が簡単で耐久性に備えた着脱防止手段（スナップボタン）を有する看護・介護用品を提供することを目的とする。
【課題を解決するための手段】
【００１６】
本考案は、上記課題に鑑みなされたもので、開閉部位に、係合突部を有する雄ホックと上記係合突部を挿脱可能に保持する雌ホックとからなるスナップボタンが取り付けられている看護・介護用品において、
上記雌ホックは回転摘まみを有し、上記回転摘まみの回転により、上記雄ホックの上記係合突部の離脱を許容するアンロック状態と、上記雄ホックの上記係合突部の離脱を拘束するロック状態とに切り替えられる回転式のスナップボタンが用いられることを特徴としている。
【００１７】
本考案の看護・介護用手袋には、上記回転式スナップボタンを着脱防止手段の留め具とした看護・介護用手袋や、上記回転式のスナップボタンを開閉部位の着脱防止手段の留め具とした看護・介護用おむつカバーが含まれる。
【００１８】
また、また、本考案の看護・介護用品には、上記回転式スナップボタンを開閉位置の着脱防止手段の留め具として看護・介護用パジャマや寝間着、上記回転式スナップボタンを着脱防止手段の留め具とした看護・介護用安全ベルトも含まれる。
【考案の効果】
【００１９】
本考案によれば、看護・介護用品の着脱防止手段を、雌ホックの回転摘みの回転によりロックまたはアンロック状態とする回転式のスナップボタンとしたことにより、要介護者が、例えば、興奮状態で暴れてスナップボタンが上から叩かれても、そのロックが不用意に解除されることはない。
【図面の簡単な説明】
【００２０】
【図１】本考案の看護・介護用品に用いられるスナップボタンの一例を示す断面図。
【図２】本考案の看護・介護用品に用いられるスナップボタンの一例を示す図１におけるＡ−Ａ線断面図。
【図３】本考案の看護・介護用品の一例を示す（ａ）看護・介護用手袋、（ｂ）看護・介護用おむつカバー、（ｃ）看護・介護用パジャマ、（ｄ）看護・介護用安全ベルト
【考案を実施するための形態】
【００２１】
図１および図２を参照して、この実施形態に係るスナップボタン１は、雄ホック１０と雌ホック２０とを備えている。このスナップボタン１が取り付けられる布地は図示されていないが、雄ホック１０と雌ホック２０は、その合わせ目の一方の布地と他方の布地に糸もしくは鋲等により取り付けられる。
【００２２】
雄ホック１０は、合わせ目の一方の布地に糸もしくは鋲等により取り付けられる基板１１を有し、基板１１には係合突部１２が立設されている。
【００２３】
係合突部１２は茸状，球根状もしくは矩形状や長楕円状で、基板１１に立設された首部１２１と、首部１２１の先端に形成された首部１２１よりも大径の頭部１２２とを備えている。雄ホック１０の材質は金属もしくは合成樹脂のいずれであってもよい。
【００２４】
このスナップボタン１において、雌ホック２０は回転摘まみ２４を有し、回転摘まみ２４の回転により、雄ホック１０の係合突部１２の離脱を許容するアンロック状態と、雄ホック１０の係合突部１２の離脱を拘束するロック状態とに切り替えられる。
【００２５】
そのための基本的な構成として、雌ホック２０は、円筒状の缶体２１を備える。図１における缶体２１の上面の中央部分および下面の中央部分はそれぞれ開放されている。
【００２６】
図示しないが、例えばとして、缶体２１はその外周部に布地に対する取着フランジを有し、その取着フランジを介して合わせ目の他方の布地に糸もしくは鋲等により取り付けられてよい。
【００２７】
缶体２１は、雄ホック１０の係合突部１２を受け入れる内部空間を有し、その内部には係合突部１２に対するロック手段としての係止部２２が設けられている。
【００２８】
この実施形態において、係止部２２は、円形の環状体をその直径線に沿って２分割した形状の左側係止部２２Ｌと右側係止部２２Ｒの２部材よりなる。左側係止部２２Ｌと右側係止部２２Ｒを区別する必要がない場合には、総称として係止部２２と言う。
【００２９】
左側係止部２２Ｌと右側係止部２２Ｒは、それぞれ断面がほぼコ字状で互いに向き合うように缶体２１内に収納されている。左側係止部２２Ｌと右側係止部２２Ｒは、それらの背後に設けられている板バネ２３によって常に閉じる方向に付勢されている。
【００３０】
閉じられた状態において、左側係止部２２Ｌと右側係止部２２Ｒの対向する各下端２２１，２２１間には開口部２０１が形成される。この開口部２０１は係合突部１２の頭部１２２よりも小径で、首部１２１よりも大径もしくは首部１２１と同径とする。
【００３１】
また、図２に示すように、閉じられた状態において、左側係止部２２Ｌと右側係止部２２Ｒの対向する各上端２２２，２２２間にも開口部２０２が形成される。下側の開口部２０１は好ましくは真円状であるが、上側の開口部２０２は楕円形で、その長軸は左側係止部２２Ｌと右側係止部２２Ｒの合わせ面に沿っている。
【００３２】
缶体２１は、その上面側に缶体２１の軸線を中心として回転する回転摘まみ２４を備えている。回転摘まみ２４には、缶体２１内に入り込み開口部２０２内に配置される円板カム２４１が同軸として設けられている。
【００３３】
円板カム２４１は楕円状で、その長軸は開口部２０２の長軸とほぼ同じ長さである。これに対して。円板カム２４１の短軸は開口部２０２の短軸よりも短い。なお、開口部２０２と円板カム２４１を長円形としてもよい。
【００３４】
これによれば、図２のように、回転摘まみ２４を回転させて円板カム２４１の長軸を開口部２０２の長軸に合わせれば、左側係止部２２Ｌと右側係止部２２Ｒは、板バネ２３，２３により最も接近し閉じられた状態に保持される。このときの回転位置を第１回転位置とする。
【００３５】
これに対して、回転摘まみ２４により円板カム２４１を時計方向もしくは反時計方向に９０゜回転させて円板カム２４１の長軸を開口部２０２の短軸に合わせることにより、長軸と短軸の差分だけ左側係止部２２Ｌと右側係止部２２Ｒが板バネ２３，２３に抗して押し広げられる。このときの回転位置を第２回転位置とする。
【００３６】
なお、この実施形態において、回転摘まみ２４の周囲には、より大きな回転モーメントを得るためと滑り止めとを兼ねた大径の環状体からなる合成樹脂製の摘まみカバー２５が一体に設けられている。
【００３７】
このスナップボタン１において、雄ホック１０を雌ホック２０に係止するには、回転摘まみ２４を第２回転位置に回して下側の開口部２０１を係合突部１２の頭部１２２よりも大径として係合突部１２を雌ホック２０内に挿入したのち、回転摘まみ２４を第１回転位置に回して左側係止部２２Ｌと右側係止部２２Ｒの各下端２２１を首部１２１の溝内に係合する。
【００３８】
これにより、ロック状態として、雌ホック２０に対して雄ホック１０が拘束されるが、頭部１２２の底面（首部１２１と頭部１２２との境に存在する段差面）と、係止部２２の下端２２１の上面は、水平面同士の係合となるため、雄ホック１０の拘束が容易に解かれることはない。
【００３９】
なお、左側係止部２２Ｌと右側係止部２２Ｒの各下端２２１に雄ホック１０の挿入方向に沿って順テーパとなる傾斜案内面を形成し、係合突部１２を下側の開口部２０１内に強制的に押し込むようにしてもよい。
【００４０】
雄ホック１０のロックを解除するには、回転摘まみ２４を第２回転位置から第１回転位置に戻して、下側の開口部２０１を係合突部１２の頭部１２２よりも大径とすれば、係合突部１２を雌ホック２０から容易に外すことができる（アンロック状態）。
【００４１】
このように、このスナップボタン１は回転式であるため、押しボタン式に比べて全体の高さ（厚さ）を低くすることができる。また、回転摘まみを第１回転位置に回さない限りロックが解除されないため、押しボタン式に比べてロックが解除し難い。また、構造的に押しボタン式に比べて耐久性がよい、という利点もある。
【００４２】
次に、本考案に係る回転式のスナップボタン１を用いた看護・介護用品の使用例を図３に示す。このうち、図３（ａ）は要介護者の自傷行為等を防止するための看護・介護用手袋が示されている。
【００４３】
この例では、看護・介護用手袋を要介護者に確実に固定する手段として手首周りに掛け渡されるリストバンドが設けられており、このリストバンドの着脱防止手段の留め具として回転式スナップボタン１が取り付けられている。
【００４４】
また、図３（ｂ）は要介護者に装着される看護・介護用おむつカバーであり、この例では、臀部側身頃と腹部側身頃との同図において左右の開閉部位の着脱防止手段として、雄ホック１０と雌ホック２０とがそれぞれ３つずつ対向して設けられている。
【００４５】
図３（ｃ）は要介護者に装着される看護・介護用パジャマであり、この例で、看護・介護用パジャマの開閉は胸部から脚部に設けられた線ファスナーＦ１であり、このファスナーＦ１のスライダー摘み（図示せず）を覆うフラップＦ２の留め具として回転式のスナップボタン１が設けられている。
【００４６】
図３（ｄ）は、要介護者の体幹や四肢等をベッドや車椅子等の被保持体に安定的に固定する看護・介護用安全ベルトの要部（両端部）が示されており、この看護・介護用安全ベルトの両端部には着脱防止手段の留め具として回転式のスナップボタン１が設けられている。
【００４７】
ここで、看護・介護用安全ベルトとは、要介護者の身体の一部や局部に掛け渡して要介護者の姿勢を保持させることができベルトである。この看護・介護用安全ベルトは、目的に応じて長さ調節可能な帯体からなり、ベルトの一端部に雄ホック１０が、ベルトの他端部に雌ホック２０がそれぞれ設けられている。
【００４８】
看護・介護用安全ベルトの使用例としては、例えば、要介護者を車椅子に着座させた際に、要介護者の姿勢が崩れないように、車椅子の背部から要介護者の腰回り掛け渡してシートベルト状に装着する例が挙げられる。
【００４９】
例えば、要介護者をベッドに横臥させた際に要介護者がベッドから落ちないように、また、点滴等の医療行為に際し、要介護者の動きを抑止するため、要介護者の体幹や四肢をベッドに固定するように装着する例が挙げられる。
【００５０】
なお、図３は、本考案に係る回転式のスナップボタン１を用いた看護・介護用品の例示であり、本考案の看護・介護用品は、図３の態様に限定されることはない。
【００５１】
例えば、看護・介護用手袋では、リストバンドの係着部分をフラップで覆い、そのフラップと手袋本体との着脱防止手段としてスナップボタン１を用いてもよい。
【００５２】
また、看護・介護用おむつカバーや看護・介護用パジャマや寝間着にしても、その開閉部位の着脱防止手段して用いられるものであればよく、看護・介護用おむつカバーや看護・介護用パジャマや寝間着の態様も図３（ｂ），（ｃ）に限られるものではない。
【００５３】
本考案に係る看護・介護用品は、その開閉部位に上記回転式スナップボタン１を備えることを特徴としているが、上記回転式スナップボタン１として、例えば特許第５８５９１０７号公報に記載されているスナップボタンや特開２０１４−１０５５７１号公報、特開２０１６−２１４５６９号公報等に記載されているスナップボタンが用いられてもよく、このような態様も本考案に含まれる。
【符号の説明】
【００５４】
１  スナップボタン
１０  雄ホック
１１  基板
１２  係合突部
１２１  首部
１２２  頭部
２０  雌ホック
２０１，２０２  開口部
２１  缶体
２２  係止部
２２Ｌ  左側係止部
２２Ｒ  右側係止部
２２１  下端
２２２  上端
２３  板バネ
２４  回転摘み
２４１  円板カム
２５  摘みカバー
【図１】
0003217953.tif 000003
【図２】
0003217953.tif 000004
【図３】
0003217953.tif 000005